(57)【要約】      （修正有）【課題】使用上の安全性と利便性を向上した回動式コンセントの提供。【解決手段】座体、軸管、差込口ケース、導電端子を含み、該導電端子は細長い形状であり、間隔を開けて設置された導電クリップを備え、座体1に、軸管2を固定する支持枠13を設置し、該軸管の内壁両側に嵌入溝21を形成し、該軸管上に対を成す差込口22を多角度に複数開設するか、該差込口を弧形に形成し、嵌入溝内に導電端子4を嵌入し、導電クリップ42を差込口に対応させると共に、差込口ケース3に対を成す差込口32を開設し、該差込口ケースを軸管の外側に設置し、該差込口ケースを回動させることで、該差込口ケースの差込口を軸管の差込口に重ね合わせるかずらすかを選択し、該差込口ケースの差込口を該軸管の差込口に重ね合わせると、該導電端子の導電クリップと外界が相通し、該差込口ケースの差込口と軸管の差込口をずらすと、該導電端子の導電クリップが遮蔽される。【選択図】図１
0003102760.tif 000002
【実用新案登録請求の範囲】
【請求項１】
座体、軸管、差込口ケース、導電端子を含み、そのうち、該導電端子は細長い形状を呈し、且つ、間隔を開け導電クリップを備え、前記座体に支持枠を設置し、前記軸管を固定し、該軸管は、管壁に対を成す差込口を備え、管内に前記導電端子を設置し、且つ、該導電端子の導電クリップを前記差込口に対応させ、前記差込口ケースは、対を成す差込口を備え、前記軸管の外側に設置され、該差込口ケースを回動させ、該差込口ケースの差込口と前記軸管の差込口を重ね合わせるかずらすか選択可能であることを特徴とする回動式コンセント。
【請求項２】
前記軸管の差込口を90度の間隔で二列に該軸管の管壁周囲に設置した、請求項１に記載の回動式コンセント。
【請求項３】
前記軸管の差込口を90度の間隔で三列に該軸管の管壁周囲に設置した、請求項１に記載の回動式コンセント。
【請求項４】
前記軸管の差込口を弧形に形成した、請求項１に記載の回動式コンセント。
【請求項５】
前記差込口ケースの差込口周囲に台座を形成し、該台座側面に遮止部を設けた、請求項１に記載の回動式コンセント。
【考案の詳細な説明】
【技術分野】
【０００１】
本考案は、回動式コンセントに関し、複数組の差込口を備えたコンセントに適用し、回動可能な差込口ケースを、内部に導電端子を備えた軸管上に設置し、該軸管及び差込口ケース共に差込口を備え、該差込口ケースを回動させ、該差込口ケースの差込口を、該軸管の差込口と重ね合わせるかずらすかを選択でき、各コンセントの差込口の遮蔽・開放・多角度回動等の状態を形成することが出来る構成とした、回動式コンセントに関する。
【背景技術】
【０００２】
図１０に示すように、従来の多穴コンセント5の差込口51は、該コンセント5の正面に並列して配置されており、正常な状況下において複数のプラグを挿入して使用することができる。しかしながら、携帯電話の充電器のプラグ6のような大型のプラグは、実質上変圧整流器であるため体積が大きく、二組以上の差込口を覆ってしまう状態が往々にして発生し、覆われた差込口は使用することができなくなり、使用者にとって非常に不便であるため、改善の必要がある。また、現有の多穴コンセント5の差込口５1は、開放式であり、幼児が誤って異物を挿入してしまう危険があり、この点においても改善の必要がある。
【考案の開示】
【考案が解決しようとする課題】
【０００３】
前述の問題に鑑みて、本考案の目的は、使用上の安全性と利便性を向上した回動式コンセントを提供することにある。
【課題を解決するための手段】
【０００４】
本考案の回動式コンセントは、座体、軸管、差込口ケース、導電端子を含み、そのうち、該導電端子は細長い形状であり、間隔を開けて設置された導電クリップを備え、前記座体は、前記軸管を固定する支持枠を備え、該軸管の内壁両側に軸方向に嵌入溝を形成し、さらに、該軸管上に、対を成す差込口を多角度の方向に複数開設するか、該差込口を弧形に形成し、前記嵌入溝内に前記導電端子を嵌入し、且つ、該導電端子の導電クリップを前記差込口に対応させると共に、前記差込口ケースに対を成す差込口を開設し、該差込口ケースを前記軸管の外側に設置し、該差込口ケースを回動させることで、該差込口ケースの差込口を前記軸管の差込口に重ね合わせるかずらすかを選択し、該差込口ケースの差込口を該軸管の差込口に重ね合わせると、該導電端子の導電クリップと外界が相通し、反対に、該差込口ケースの差込口と軸管の差込口をずらすと、該導電端子の導電クリップが遮蔽される。
【考案の効果】
【０００５】
本考案の回動式コンセントは、差込口ケースを回動させることにより、内部に設置された導電端子の開放または遮蔽を選択することができ、この遮蔽機能を備えていることにより、幼児が誤って異物を挿入する事故を防ぐことができ、安全性が向上される。また、該差込口ケースを多角度に回動させて使用することができるため、体積の大きなプラグに相隣する差込口が遮蔽されてしまうことなく、使用上の利便性が向上される。
【実施例１】
【０００６】
図１及び図２に本考案の実施例一を示す。本考案の実施例一は、座体1、軸管2、差込口ケース3、導電端子4を含み、そのうち、前記導電端子4は細長い形状を呈し、本実施例においては嵌入片41とし、該嵌入片41上に導電クリップ42を間隔をおいて設置する。
【０００７】
前記座体1は長板状を呈し、その両側を上方向へ彎曲し突起片11を形成すると共に、両端に凹孔12を設け、該凹孔12に支持枠13の固定突起131を嵌置し、該支持枠１３を該座体１上に固定する。さらに、該支持枠13に円形突起132を設け、前記軸管２に嵌入し固定する。
【０００８】
前記軸管2の管内に前記導電端子４を固定して設置し、本実施例においては、該軸管2の内壁両側に軸方向に嵌入溝21を形成し、さらに、管壁に対を成す差込口22を設ける。
【０００９】
差込口ケース3は、対を成す差込口31を設け、該差込口31の周囲に台座32を設置し、該台座32の側面に遮止部321を形成する。
【００１０】
前記軸管2の嵌入溝21内に、導電端子４の嵌入片41を設置し、且つ、該導電端子4の導電クリップ42を、前記差込口22に対応させ、前記差込口ケース3を該軸管2の外側に被せて設置する。さらに、該軸管2を前記支持枠１３の円形突起132に嵌置し、且つ、全体の組立て後、該支持枠13を前記座体１及び軸管２に溶接または接着して固定する。
【００１１】
図３に示すように、前記差込口ケース3を回動させ、該差込口ケース3の差込口31を前記軸管2の差込口22に重ね合わせると、前記導電端子4の導電クリップ42が外界と相通し、反対に、該差込口ケース3を回動させ、該差込口ケース3の差込口３１を該軸管2の差込口22からずらすと、該導電端子4の導電クリップ42が遮蔽される。
【実施例２】
【００１２】
図４に本考案の実施例二を示す。本実施例二においては、差込口ケース3を軸管2A上に被せて設置し、且つ、該軸管2Aを座体1両端の支持枠13に固定する。主な違いは、該軸管2Aの差込口22Aを二列に90度の間隔で該軸管2Aの管壁周囲に開設する点である。
【００１３】
図５に示すように、該差込口ケース3を回動させ、該差込口ケース3の差込口31を該軸管2Aの差込口22Aに対応させると、前記導電クリップ42が外界と相通する。該差込口ケース3の差込口31は互いに90度の間隔を備えた２つの位置共に前記軸管2Aの差込口22Aに対応させることができるため、変圧器のプラグのような大型プラグを挿入して使用するとき、相隣する２つの差込口ケース3をそれぞれ別の方向へ回動させることで、プラグに遮蔽されることなく使用することができる。このほか、差込口ケース3を回動させ、該差込口ケース3の差込口22Aを軸管2Aの差込口22Aからずらすと、導電クリップ42が遮蔽される。
【実施例３】
【００１４】
図６に本考案の実施例三を示す。本実施例三は、差込口ケース3を軸管2B上に被せて設置し、且つ、該軸管2Bを座体1両端の支持枠13に固定する。主な違いは、該軸管2Bの差込口22Bを三列に90度の間隔で該軸管2Bの管壁周囲に開設する点である。
【００１５】
図７に示すように、該差込口ケース３を回動させ、該差込口ケース3の差込口31を該軸管2Aの差込口22Aに対応させると、前記導電クリップ42が外界と相通する。該差込口ケース3の差込口31は互いに90度の間隔を備えた３つの位置すべてが該軸管2Aの差込口22Aに対応可能であるため、変圧器のプラグのような大型プラグを複数挿入して使用するとき、相隣する差込口ケース3をそれぞれ別の方向へ回動させることで、プラグに遮蔽されることなく使用することができる。このほか、差込口ケース3を回動させ、該差込口ケース3の差込口22Aを軸管2Aの差込口22Aからずらすと、導電クリップ42が遮蔽される。
【実施例４】
【００１６】
図８に本考案の実施例四を示す。本実施例四は、差込口ケース3を軸管2C上に被せて設置し、且つ、該軸管2Cを座体1両端の支持枠13に固定する。主な違いは、該軸管2Cの差込口22Cを弧形に形成する点にある。
【００１７】
図９に示すように、該差込口ケース３を回動させ、該差込口ケース3の差込口31を該軸管2Aの差込口22Aに対応させると、前記導電クリップ42が外界と相通する。該差込口ケース3の差込口31は約180度の弧度を備え、そのあらゆる位置において該軸管2Aの差込口22Aに対応可能であるため、変圧器のプラグのような大型プラグを挿入して使用するとき、相隣する差込口ケース3をそれぞれ別の方向へ回動させることで、プラグに遮蔽されることなく使用することができ、且つ、角度を自由に変化させることができ、便利である。
【００１８】
従来の製品に比べ、本考案は回動式の差込口ケースにより、該差込口ケースの差込口を軸管の差込口に対応させることで導電端子の導電クリップを外界と相通させ、反対に、該差込口ケースを回動させ、該差込口ケースにより軸管の差込口を遮蔽し、導電端子の導電クリップを遮蔽することができ、差込口を遮蔽し、幼児が誤って異物を挿入する事故を回避し、安全性を向上すると共に、多角度に回動可能であるため、相隣する差込口がプラグに遮蔽されることなくすべて使用することができる。
【図面の簡単な説明】
【００１９】
【図１】本考案の実施例一の分解図である。
【図２】本考案の実施例一の組立て図である。
【図３】本考案の実施例一の側面断面図である。
【図４】本考案の実施例二の分解図である。
【図５】本考案の実施例二の側面断面図である。
【図６】本考案の実施例二の分解図である。
【図７】本考案の実施例三の側面断面図である。
【図８】本考案の実施例三の分解図である。
【図９】本考案の実施例四の側面断面図である。
【図１０】従来品の立体図である。
【符号の説明】
【００２０】
１                座体
２、２A、２B、２C    軸管
３                差込口ケース
４                導電端子
５                コンセント
6                プラグ
１１              突起片
１２              凹孔
１３              支持枠
１３１             固定突起
１３２             円形突起 
21               嵌入溝 
22、22A、22B、22C  差込口
31               差込口
３２              台座 
３２１             遮止部   
４１              嵌入片
42               導電クリップ 
51               差込口
【図１】
0003102760.tif 000003
【図２】
0003102760.tif 000004
【図３】
0003102760.tif 000005
【図４】
0003102760.tif 000006
【図５】
0003102760.tif 000007
【図６】
0003102760.tif 000008
【図７】
0003102760.tif 000009
【図８】
0003102760.tif 000010
【図９】
0003102760.tif 000011
【図１０】
0003102760.tif 000012